(57)【特許請求の範囲】
【請求項１】
外装容器内に収納されて使用され、筒状胴部の上下端に筒口付き天板と底板とからなる端材を接合して閉鎖され全体が可撓性を有する内装袋の製造方法において、
熱収縮性樹脂からなる筒状胴部の下端に適宜手段により端材を接合した上部開口の袋体に対し、筒状胴部の直径より若干大きめの直径のリング状とこのリングの対向２カ所で折り曲げて重ねた弓状とに変換自在となる治具を、袋体の上部開口部から所定寸法の位置で袋体の内側からリング状にして嵌め込み固定し、リング状の治具を下から保持可能な枠体に袋体を装着して、上部開口部を円形に保持した状態で筒状胴部の治具より上側の部分を加熱により開口部内側に収縮させて略水平状にして溶着片とし、更にこの上にもう片方の端材を重ねて溶着片と端材の周囲を加熱により溶着し、その後、治具をリング状から弓状に変換して、天板の筒口から弓状の治具を外側に取り出すことを特徴とする内装袋の製造方法。
【請求項２】
上記請求項１に記載の内装袋の製造方法に使用される治具であって、筒状胴部の直径より若干大きめの直径のリング状とこのリングの対向２カ所で折り曲げて重ねた弓状とに変換自在となることを特徴とする治具。
【発明の詳細な説明】
【技術分野】
【０００１】
この発明は、外装容器内に収納される可撓性を有する内装袋の製造方法、さらに詳しくは、筒状胴部の上端と下端を筒口付きの天板と底板で閉鎖したクローズ状の内装袋を容易に得ることができる製造方法と、その製造方法に使用する治具に関するものである。
【背景技術】
【０００２】
例えば、保形部材となるドラム缶等の比較的剛性のある外装容器の内側に装着し、その内部に各種液体や粉体を収納し、これらの保存や輸送を行う可撓性の内装容器として合成樹脂製の内装袋が使用されている。
【０００３】
従来、上記のような内装袋の一般的な製造方法は、熱可塑性合成樹脂シートを用いた筒状胴部の下端側に同じく熱可塑性合成樹脂製シートからなる底板等を溶着することで上端開放の袋体に成形するようにしていた。
【０００４】
上記袋体の製造において、筒状胴部に底板等の端部材を取り付ける際の作業を容易にするため、長手方向に移動可能な短管形の外リング片の外周に熱収縮性合成樹脂からなる筒状胴部（内装袋周壁材）を外嵌し、筒状胴部に底板を取り付けるための溶着片を形成する長さ分だけこの外リング片から突出させて加熱により筒状胴部の半径方向に収縮させると共に、外リング片の移動により外リング片の内周側に配設固定された円盤状の受盤で溶着片を水平状態に維持し、ここに底板となる端部材と溶着する方法が提案されている（例えば、特許文献１参照）。
【０００５】
ところで、最近は、筒状胴部の下端に底板を溶着するのみならず、筒状胴部の上端に筒口付きの天板も溶着し、クローズ状の内装袋も使用されてきているが、上記特許文献１の方法では、筒状胴部の一方端に端材を取り付けるのみで、クローズ状の袋体を得ることはできなかった。
【０００６】
そこで、出願人は、先に、熱可塑性合成樹脂を用いた筒状体の下半部を内側に折り返して二重筒に形成し、この二重筒における内側筒及び外側筒の上端部をそれぞれ径方向の内側に向かう折り曲げ部とし、内側筒の折り曲げ部上に熱可塑性合成樹脂を用いた底板の周囲を重ね、外側筒の折り曲げ部上に熱可塑性合成樹脂を用いた天板の周囲を重ね、上記底板と外側筒の折り曲げ部の間に非溶着材を介在させた状態で、上記外側筒の折り曲げ部と天板及び内側筒の折り曲げ部と底板のそれぞれの重なり部分を周方向の全長にわたって同時に加熱溶着し、この溶着後に、天板に設けた筒口から上記非溶着材を抜き取る構成を採用することで、筒状胴部の上端側と下端側を閉鎖する溶着処理を同時に行うことで、クローズ状の袋体を得ることができる製造方法を提供した（特許文献２参照）。
【先行技術文献】
【特許文献】
【０００７】
【特許文献１】特許第３８１７７１４号公報（特許請求の範囲、図１、図２、図３）
【特許文献２】特許第３７２３５４０号公報（特許請求の範囲、図１、図２、図３）
【発明の概要】
【発明が解決しようとする課題】
【０００８】
上記特許文献１の発明により、筒状胴部に底板を取り付ける作業は容易となったが、筒状胴部の一方の端部に底板等の端部材を溶着して一方端を閉鎖した後に、他方の端部に端部材を溶着しようとして、外リング片の外周に一方閉鎖済み筒状胴部を被せるのはそのままでは不可能であった。
【０００９】
また、特許文献２の発明では、筒状胴部の上端側と下端側を閉鎖する溶着処理を行うことで、両端部を端部材で閉鎖したクローズ状の内装袋が得られるが、溶着作業終了後に、天板に設けた筒口から非溶着材を抜き取る作業が必要であった。
【００１０】
この非溶着部材は、天板や底板とほぼ同じ大きさの可撓性のあるシート状であるが、溶着後のクローズ状態の内袋の天板に設けた筒口から取り出すのに手間がかかり、特に筒口が天板の大きさに比べて小さい場合、その取り出し作業が困難となり、場合によっては非溶着材を破ったり破損した上で取り出さなければならない場合もあった。
【００１１】
上記のように、特許文献２の製造方法によりクローズ状の内袋の製造が容易になったが、非溶着材の取り出し作業が手間がかかることと、非溶着材の破損した場合は非溶着材の材料コストがかかるという問題があった。
【００１２】
また、最近の内装袋は、袋体の上端の周縁部全周に亘って側面に沿った下向きの折り返し状の係合片を設けて、この係合片をドラム缶等の外装容器の上部開口の周縁部外側に引っ掛けて、内装袋の外装容器内での落ち込みを防止することも行われているが、特許文献２の製造方法では、係合片を設けた内装袋を製造するのは困難であった。
【００１３】
この発明は、上記のような課題を解決し、クローズ状の合成樹脂製の内装袋を、低コスト、かつ確実に得ることのできる製造方法と、その方法に用いる専用の治具を提供することを課題とする。
【課題を解決するための手段】
【００１４】
上記のような課題を解決するため、請求項１の発明は、外装容器内に収納されて使用され、筒状胴部の上下端に筒口付き天板と底板とからなる端材を接合して閉鎖され全体が可撓性を有する内装袋の製造方法において、熱収縮性樹脂からなる筒状胴部の下端に適宜手段により端材を接合した上部開口の袋体に対し、筒状胴部の直径より若干大きめの直径のリング状とこのリングの対向２カ所で折り曲げて重ねた弓状とに変換自在となる治具を、袋体の上部開口部から所定寸法の位置で袋体の内側からリング状にして嵌め込み固定し、リング状の治具を下から保持可能な枠体に袋体を装着して、上部開口部を円形に保持した状態で筒状胴部の治具より上側の部分を加熱により開口部内側に収縮させて略水平状にして溶着片とし、更にこの上にもう片方の端材を重ねて溶着片と端材の周囲を加熱により溶着し、その後、治具をリング状から弓状に変換して、天板の筒口から弓状の治具を外側に取り出す構成を採用したものである。
【００１５】
また、請求項２の発明は、上記請求項１に記載の内装袋の製造方法に使用される治具であって、筒状胴部の直径より若干大きめの直径のリング状とこのリングの対向２カ所で折り曲げて重ねた弓状とに変換自在となる構成を採用したものである。
【００１６】
ここで、筒状胴部と底板及び天板からなる端材は、ポリエチレンのような加熱によって溶着可能な熱可塑性合成樹脂を用いて形成され、特に、筒状胴部はその上端及び下端に、天板や底板と溶着される溶着片を形成するために、加熱により収縮するものが好ましい。
【００１７】
治具を構成する部材は、熱により合成樹脂等と溶着することのない非溶着性を有する比較的剛性のある材料とするが、金属製や合成樹脂製等特にその材料は限定されない。
【００１８】
治具は、リング状とした時に筒状胴部の直径より若干大きめの直径となっているので、筒状胴部の内側から筒状胴部を外側に押し広げた状態となり、筒状胴部の収縮力により挟まれることでこの治具は任意の位置で固定されることになり、袋体は治具より上に上端部を突出させた状態で開口状態を維持することになり、この部分にもう一方の端材を溶着可能となる。
【００１９】
リング状の治具を下から保持可能な枠体としては、例えば、上部開口の袋体が入り込む程度の内径を有する筒状で、上端がリング状の治具を支えられるように水平面となったものが考えられるが、枠体としては特に筒状に限定されず、要するに、リング状の治具により上部開口状態を保持された袋体をリング状治具の部分を下から支えることで保持できるようなものであれば良く、その材料も、スチール等の金属製や他の材料等特に限定されない。
【００２０】
この発明は上記のような構成であり、筒状胴部の一方端に天板や底板等の端材を溶着した袋体（先に筒状胴部に溶着して袋体を形成しておく端材は、底板でも天板でもどちらでもかまわない。）に対して治具を所定の位置に固定することで、治具より上に溶着片形成部を形成し、上部開口状態を保持したまま枠体上に設置し、他方の端材の溶着工程を行った後、治具を弓状に変換して天板の筒口から取り出せば、筒状胴部の上下端を天板と底板で閉鎖したクローズ状の内装袋が完成することになる。
【発明の効果】
【００２１】
以上のように、この発明によると、筒状胴部の上下端を天板及び底板で閉鎖したクローズ状の内装袋を、所定の簡単な治具や枠体を使用することで極めて容易に低コストで製造することができる。
【００２２】
また、従来は難しかった、天板の周縁部全周に亘って側面に沿った下向きの折り返し状で外装容器の上部開口の周縁部外側に引っ掛けるための係合片を有する内装袋も製造が可能となった。
【００２３】
更に、閉鎖状に形成して完成した後の内装袋の内部から取り出す治具は、リング形状を対称位置にある対向２カ所で２つに折り曲げて重ねた弓状とすることができるので、破損なく天板に設けられた細い筒口から容易に取り出すことができ、何度でも再利用が可能となる。
【図面の簡単な説明】
【００２４】
【図１】この発明の内装袋の製造方法に使用する治具で、（ａ）は円形に広げた状態を示す平面図、（ｂ）は弓形に折り畳んだ状態を示す斜視図、（ｃ）は一部拡大正面断面図である。
【図２】同上の治具を袋体に装着した状態を示す縦断正面図である。
【図３】本発明の内装袋の製造方法の一実施形態を示す縦断正面図である。
【図４】本発明の内装袋の製造方法の一実施形態を示す縦断正面図である。
【図５】本発明の内装袋の製造方法の一実施形態を示す一部拡大縦断正面図である。
【図６】本発明の内装袋の製造方法の一実施形態を示す縦断正面図である。
【図７】本発明の内装袋の製造方法の一実施形態を示す縦断正面図である。
【図８】本発明の内装袋の製造方法の一実施形態を示す一部拡大縦断正面図である。
【図９】本発明の内装袋の製造方法の一実施形態を示す斜視図である。
【図１０】本発明の内装袋の製造方法の他の実施形態を示す一部切欠正面図である。
【図１１】本発明の内装袋の製造方法の他の実施形態を示す一部拡大正面図である。
【図１２】本発明の内装袋の製造方法の他の実施形態を示す一部拡大正面図である。
【図１３】本発明の内装袋の製造方法の他の実施形態を示す一部拡大正面図である。
【発明を実施するための形態】
【００２５】
以下、この発明の実施の形態を図示例と共に説明する。
図１は、この発明の合成樹脂製の内装袋の製造方法に使用される治具１を示すもので、（ａ）は円形に広げた状態の平面図、（ｂ）は弓形に折り畳んだ状態を示す斜視図、（ｃ）は拡大断面正面図である。
【００２６】
図１（ａ）の円形に広げた状態の治具１は、リング状の形状で、平板をこのリング形状に切り抜いたように所定の厚みを有して剛性を確保したベース板２の上に、同じく平面をリング形状に切り抜いた前記ベース板２よりも細幅で所定の厚みを有する鏝台３が接続部材となる下駄４を複数箇所に介して接続されている。
【００２７】
ベース板２とそれに接続される鏝台３は、共にそのリング形状の円の中心を通る直線によって分割されて対称２等分されており、ベース板２の下側の分割された部分には蝶番５が設けられており、この蝶番５の部分で分割されたベース板２を鏝台３と共に折り曲げベース板２同士を合わせるように折り畳んで図１（ｂ）に示すような弓状とすることができる。
【００２８】
この治具１の各部寸法としては、まずリング状のベース板２及び鏝台３共にその外径は製造される内装袋の内径より若干大きめとなっており、一例として、ドラム缶用の内装袋の製造に使用するものとしては、外径がドラム缶の直径とほぼ同じ約７０ｃｍ、その直径方向での幅はベース板２で約４０〜４５ｍｍ、鏝台３で約２０〜２５ｍｍ程度、厚みは両者とも４〜１０ｍｍ程度としているが、製造される内装袋の種類や寸法に応じて適宜変更されるものである。
【００２９】
治具１の材料は、実施形態では、一例としてベース板２はアルミ合金製で、鏝台３はステンレス製の上面にフッ素樹脂コートなどの非粘着性材料がコートされているが、これらについても、剛性を有する材料であれば実施形態のものに限定されず、金属製、樹脂製など種々の材質のものを使用できる。但し、内装袋の材料と熱により溶着することがないように、特に鏝台３の上面に関しては、四フッ化エチレン樹脂等の非溶着性を有する材料で構成するか、又は非溶着性材料を表面にコーティングしておくのが好ましい。
【００３０】
なお、鏝台３の分割部端部は、図１（ｂ）の弓状の折り曲げ状態から図１（ａ）のドーナツ形状に戻す時に端部同士の衝突による衝撃を緩和するため、フッ素ゴムや天然ゴム等の非粘着性の緩衝材６で覆われている。また、ベース板２の蝶番付近には、紐７の一方端が接続固定されている。
【００３１】
治具１の断面形状は、図１（ｃ）の一部拡大断面図に示すように、ベース板２及び鏝台３共に厚み方向の上下は平面状となっており、鏝台３の上面は後述の袋体と天板の溶着時に袋体の溶着片と天板とを下から支え、ベース板２の下面は後述の枠体の上面に袋体を介して支えられることになる。またベース板２の外周部は上面と下面をなめらかな曲面で繋ぐような半円形となっており、鏝台３の断面角部は、製造する内装袋の材料である合成樹脂を攻撃しないように角がなめらかになっている。
【００３２】
なお、ベース板２の幅が鏝台３の幅より内方に大きくなっており、これは内装袋の側面を構成する筒状胴部の上端部が加熱により内方に倒れ込んだ際、ベース板２が倒れ込んだ筒状胴部（後の天板と溶着するための溶着片）を支えて完全に下方に落ち込ませず、水平な溶着片を形成させることになる。
【００３３】
次に、図１で示した治具１を用いて内装袋を製造する方法を説明する。
まず、筒状に形成された合成樹脂を所定の長さに切断した筒状胴部８の下端部に、既知の方法（例えば、特許文献１の方法）にて円盤状の底板９を溶着した上端部開放の袋体１０（図２参照）を用意する。
【００３４】
この袋体１０を構成する筒状胴部８や底板９や後述の天板等の端材としては熱可塑性合成樹脂としてポリエチレンその他の合成樹脂であって、主に透明、半透明の材質からなるが、加熱によって溶着可能な樹脂であれば材料の種類や、透明・半透明や非透明（着色等）は特に限定されない。
【００３５】
なお、筒状胴部８としては、両端部に端材を溶接するための溶着片を形成するために、熱収縮性を有する樹脂を用いるのが好ましく、製法としてはインフレーション法などで上述の合成樹脂材料を筒状に形成したものを用い、更に、強度向上させる必要がある場合、二重構造やそれ以上の複合構造にする場合もある。
【００３６】
この袋体１０に対して、まず治具１を図１（ｂ）で示した弓状に折り畳み状態にして袋体１０の上端開口部１１から入れて内部で蝶番５部分を広げて円形に広げ、図２に示すように、治具１を鏝台３を上側にベース板２を下側にして円形状に戻し、袋体１０の上端部から所定寸法下の位置、一例として上端から７ｃｍ下の位置にて底板９や開口部１１と平行状態となるように治具１を固定する。
【００３７】
この際、治具１の円形状とした状態での円形の外直径が、袋体１０の筒状胴部８の直径より若干大きめとしてあるので、筒状胴部８を周囲外方へ押し広げ、筒状胴部８の伸縮力により治具１を内方に挟み込み、治具１は袋体１０内の任意の位置で固定されることになる。
【００３８】
また、治具１の外周面は、図１（ｃ）で示すように、ベース板２の外周部が上面と下面を曲面で繋ぐような半円形であり、鏝台３の外周部も角部を削った状態となっているので、治具１が筒状胴部８を押し広げて所定位置に配置する際の抵抗を少なくすることができる。
【００３９】
次に、この上端部開放の袋体１０を、図３に示すように、袋体１０の底板９の直径とほぼ同じか若干大きめの寸法の内径を有する筒形状のスチール製の枠体１２の内部に、底板９を下にして収納してゆく。
【００４０】
図４に示すように、枠体１２の内径は袋体１０の底板９の直径（即ち、筒状胴部８の直径）と同じか若干大きく、かつ、治具１の外径よりは小さくしてある。そのため、袋体１０の底板９の部分を収縮させずにそのままの形状で収納することができ、更に、枠体１２の内径が治具１の外径より小さいため、治具１の部分にて筒状胴部８を挟んで枠体１２の上端部に当接してそれ以上の袋体１０の枠体１２内への落ち込みが阻止され、袋体１０は枠体１２及び治具１より上側に所定寸法（約７ｃｍ）だけ筒状胴部８の上端部を突出させた状態で固定されることになる。
【００４１】
次に、図４の状態で、上部から遠赤外線ヒーター等（図示せず）を近づけて輻射熱により加熱することで、熱収縮性樹脂からなる筒状胴部８の枠体１２及び治具１より上に突出している部分を収縮させることで、図５に示すように、この部分が開口部１１の内側に実線位置から一点鎖線位置へと倒れ込んでゆく。
【００４２】
筒状胴部８の上端が開口部１１の内側方向に均等に収縮することで内側に倒れ込み、鏝台３やベース板２に支えられて水平状態になると、その後に天板と溶着により接合される溶着片１３となる。
【００４３】
筒状胴部８の上端を加熱により水平状体の溶着片１３とした後、図６に示すように、枠体１２内に収納されたままの袋体１０に対して円盤状の天板１４を被せる。
【００４４】
更に、天板１４に設けられている上側に突出する筒状で、内側が上下貫通する筒口１５の下側から治具１の紐７を上に向けて通しておくが、こうすることによって、後にクローズ状に完成した内装袋から治具１を取り出しやすくなる。
【００４５】
この状態で、溶着機（図示せず）を下降させ、上記した溶着片１３と天板１４の周辺部との重なり部分を枠体１２上に載置された治具１と溶着機で上下から挟み込み、例えば、溶着機は１０〜数十ｍｍ程度の溶着幅で周方向の全長にわたる環状に加熱する。
【００４６】
この際、治具１は全体又は鏝台３の上面が非溶着材料で構成されているので、袋体１０を構成する合成樹脂が溶着機の熱によって溶けていても治具１と溶着することがない。
【００４７】
図７は枠体１２内にて完成した内装袋１６の正面断面図を示し、図８はその要部拡大図であり、筒状胴部８の枠体１２及び治具１より上側に突出した上端部を内側へ折り曲げた溶着片１３を設け、この溶着片１３に筒口１５を有する天板１４の周囲を重ねて溶着することで、上下端を天板１４及び底板９の端板で閉鎖したクローズ袋に形成されている。
【００４８】
内装袋１６を枠体１２から上方向へ取り出した後、内装袋１６の内部で筒状胴部８と天板１４の溶着部付近に固定されている治具１を、その蝶番５部分で折り曲げて重ね合わせ、図１（ｂ）で示した弓状とした後、筒口１５から外部に出ている紐７を引っ張ってたぐり寄せることで、図９に示すように、天板１４の筒口１５から弓状となった治具１を取り出し、内装袋１６が完成する。
【００４９】
上記の方法で製造された内装袋１６は、各種流体や粉体の収納用として用いることができ、例えばドラム缶の内側に装着し、ドラム缶の蓋にある上部注入口と内装袋の筒口１５の位置を合わせてドラム缶に蓋をして各種液体や粉体の収納に使用し、天板１４に設けた筒口１５を通じて流体や粉体の出し入れが可能になる。
【００５０】
図１０は、天板の周縁部全周に亘って側面に沿った下向きの折り返し状で、外装容器の上部開口周縁部外側に引っ掛ける係合片を有する内装袋を製造する実施形態を示すものであり、この実施形態の袋体１０を構成する筒状胴部８は、インフレーション製法により得られた筒状体を三重に重ねて三層構造の円筒状となっているが、三層構造に限定されず、一層やそれ以外の多層構造であってもよい。
【００５１】
この筒状胴部８の上端部付近、即ち後に溶着片１３を形成する部分に、筒状胴部８と同じ材質で筒状胴部８と同じ直径を有し、上下方向が筒状胴部８より短寸法な筒状体からなる短筒体１７を筒状胴部８の外側から嵌める。
【００５２】
次に、図１１に示すように、筒状胴部８と短筒体１７の上端同士を熱溶着等により仮溶着部１８を形成することで接着しておいてから、先の実施形態と同様に、治具１を筒状胴部８の所定位置に内側から嵌め込み固定するが、この際、短筒体１７の上下寸法方向の途中に治具１が嵌り込んでいるようにする。
【００５３】
筒状胴部８内部に治具１を嵌め込んだ後、先の実施形態と同様に枠体１２に設置し、筒状胴部８上端部付近を加熱することで、先の実施形態と同様、三重構造の筒状胴部８の治具１より突出する上端付近を収縮させて溶着片１３を形成するが、短筒体１７の上側も三層の筒状胴部８と同様に内側に倒れて、図１２に示すように溶着片１３を形成する。
【００５４】
この際、短筒体１７はその上端部が筒状胴部８と前もって溶着されており、更に、三層構造の筒状胴部８のそれぞれの層も上端部が前もって仮溶着部１８で一体化しているために、溶着片１３を形成するために内側に倒れ込んだ際も、溶着片１３は筒状胴部８の三層および短筒体１７の倒れ込み先端部が揃ってずれが生じておらず、主に透明・半透明の素材からなる内装袋であっても見栄えが良くなる。
【００５５】
この後、先の実施形態と同様に、筒口１５付きの天板１４を溶着することで、図１３に示す内装容器が得られるが、短筒体１７の溶着片１３とならずに残った垂直部分が、係合片１９として筒状胴部８の上端の周縁部全周に亘って側面に沿った下向きの折り返し状に形成され、この係合片１９の部分は内装袋をドラム缶等の外装容器内に収納する際、外装容器の上部開口の縁部外側に引っ掛けることで、内装袋の外装容器内への落ち込みを防止することができる。
【００５６】
以上、この発明の内装袋の製造方法の実施の形態を説明したが、内装袋の種類や寸法、材料、治具の寸法や材料等、及び、製造方法の詳細については、これらの実施形態にとらわれることなく、この発明の目的の範囲内で適宜変更して実施することができる。
【００５７】
例えば、実施の形態では筒状胴部８に先に取り付ける端材としては底板９を取り付けて袋体１０としていたが、先に天板１４を取り付けて袋体１０を構成し、その後に治具１を用いて底板９を袋体１０に溶着するようにしてもよいし、また、枠体１２の形状も図示の円筒形のスチール枠に限定されることなく、治具１を組み込んだ袋体１０を、治具１を上端で支えて固定して、溶着片と端材との熱溶着を可能とするようなものであれば形状も限定されない。
【符号の説明】
【００５８】
１  治具
２  ベース板
３  鏝台
４  下駄
５  蝶番
６  緩衝材
７  紐
８  筒状胴部
９  底板
１０  袋体
１１  開口部
１２  枠体
１３  溶着片
１４  天板
１５  筒口
１６  内装袋
１７  短筒体
１８  仮溶着部
１９  係合片
【図１】
0005530775.tif 000002
【図２】
0005530775.tif 000003
【図３】
0005530775.tif 000004
【図４】
0005530775.tif 000005
【図５】
0005530775.tif 000006
【図６】
0005530775.tif 000007
【図７】
0005530775.tif 000008
【図８】
0005530775.tif 000009
【図９】
0005530775.tif 000010
【図１０】
0005530775.tif 000011
【図１１】
0005530775.tif 000012
【図１２】
0005530775.tif 000013
【図１３】
0005530775.tif 000014